(57)【要約】【課題】データ連携が良好で、入力作業を省力化できる約束手形管理システムを提供する。【解決手段】約束手形管理システム１００は、ネットワークによって相互に通信可能な識別子読取装置４０と約束手形サーバ８０により構成されている。識別子読取装置４０は、カメラ撮影やスキャナで、約束手形１０の識別子１２を読取り（ステップＳ１）、当該識別子１２に記憶されたＵＲＬアドレスを読取り（ステップＳ２）、読取ったＵＲＬアドレスに基づいて約束手形サーバ８０にアクセスし（ステップＳ３）、約束手形サーバ８０から、当該約束手形１０の約束手形番号、振出人、振出日、受取人、支払期日、支払場所、銀行コード、支店コード、支店名称からなる群のうち少なくとも一つの手形情報を取得し（ステップＳ４）、取得した手形情報を識別子読取装置又は他の外部端末に出力する（ステップＳ５ａ、ステップＳ５ｂ）。【選択図】図１
0003225433.tif 000002
【実用新案登録請求の範囲】
【請求項１】
カメラ撮影又はスキャナで識別子を読取る識別子読取装置と、
前記識別子読取装置と通信可能に接続された約束手形サーバと、
を備える約束手形管理システムであって、
前記識別子読取装置は、
約束手形に印刷された識別子からＵＲＬアドレスを読取る読取手段と、
読取った前記ＵＲＬアドレスに基づいて、約束手形サーバにアクセスするアクセス手段と、
前記約束手形サーバから、当該約束手形の約束手形番号、振出人、振出日、受取人、支払期日、支払場所、銀行コード、支店コード、支店名称からなる群のうち少なくとも一つの手形情報を取得する手形情報取得手段と、
取得した前記手形情報を前記識別子読取装置又は他の外部端末に出力する出力手段と、
を備える約束手形管理システム。
【請求項２】
カメラ撮影又はスキャナで識別子を読取る識別子読取装置、
を備える約束手形管理システムであって、
前記識別子読取装置は、
約束手形に印刷された識別子から、当該約束手形の約束手形番号、振出人、振出日、受取人、支払期日、支払場所、銀行コード、支店コード、支店名称からなる群のうち少なくとも一つの手形情報を取得する手形情報取得手段と、
取得した前記手形情報を当該識別子読取装置又は他の外部端末に出力する出力手段と、
を備える約束手形管理システム。
【考案の詳細な説明】
【技術分野】
【０００１】
本考案は、約束手形管理システムに関し、更に具体的には、データ連携が良好な約束手形管理システムに関する。
【背景技術】
【０００２】
現在、債権の流通は紙の手形で行われているため、手形を管理するアプリケーションなどとのデータ連携が十分ではなく、手形を手にした利用者は、都度、紙の手形からデータを入力する必要がある。例えば、下記特許文献１では、受取手形データ入力システムにおいて、受取手形の手形要件の記載項目のうち、顧客企業側の振出日、支払期日、金額をデータ入力できる連続音声認識ソフト装置と、手形券面の下端傍部に設けたクリアーバンド上にＭＩＣＲ磁気印字されている銀行コード、銀行支店コード、振出人口座番号、手形番号等の手形要件を自動読取りできるＭＩＣＲリーダー装置から構成することが開示されている。
【先行技術文献】
【特許文献】
【０００３】
【特許文献１】実用新案登録第３０６７５３６号公報
【考案の概要】
【考案が解決しようとする課題】
【０００４】
しかしながら、前記特許文献１のＭＩＣＲ（磁気インク文字認識）の技術では文字数が少ないため、銀行コード程度等しか情報を蓄積することができない。また、受取手形の手形要件の記載項目のうち、顧客企業側の振出日、支払期日、金額については、連続音声認識ソフト装置を用いてデータ入力する必要がある。このため、システム装置に受取手形に関する情報を入力する作業が２つの手段によってなされるため、入力作業に関する省力化が必ずしも十分とはいえない。
【０００５】
本考案は、以上の課題に鑑み、データ連携が良好で、入力作業を省力化できる約束手形管理システムを提供することを、その目的とする。
【課題を解決するための手段】
【０００６】
本考案は、カメラ撮影又はスキャナで識別子を読取る識別子読取装置と、前記識別子読取装置と通信可能に接続された約束手形サーバと、を備える約束手形管理システムであって、前記識別子読取装置は、約束手形に印刷された識別子からＵＲＬアドレスを読取る読取手段と、読取った前記ＵＲＬアドレスに基づいて、約束手形サーバにアクセスするアクセス手段と、前記約束手形サーバから、当該約束手形の約束手形番号、振出人、振出日、受取人、支払期日、支払場所、銀行コード、支店コード、支店名称からなる群のうち少なくとも一つの手形情報を取得する手形情報取得手段と、取得した前記手形情報を前記識別子読取装置又は他の外部端末に出力する出力手段と、を備える約束手形管理システムを提供する。
【０００７】
また、本考案は、カメラ撮影又はスキャナで識別子を読取る識別子読取装置、を備える約束手形管理システムであって、前記識別子読取装置は、約束手形に印刷された識別子から、当該約束手形の約束手形番号、振出人、振出日、受取人、支払期日、支払場所、銀行コード、支店コード、支店名称からなる群のうち少なくとも一つの手形情報を取得する手形情報取得手段と、取得した前記手形情報を当該識別子読取装置又は他の外部端末に出力する出力手段と、を備える約束手形管理システムを提供する。
【考案の効果】
【０００８】
本考案によれば、カメラ撮影又はスキャナで識別子を読取る識別子読取装置と、前記識別子読取装置と通信可能に接続された約束手形サーバと、を備える約束手形管理システムであって、前記識別子読取装置は、約束手形に印刷された識別子からＵＲＬアドレスを読取る読取手段と、読取った前記ＵＲＬアドレスに基づいて、約束手形サーバにアクセスするアクセス手段と、前記約束手形サーバから、当該約束手形の約束手形番号、振出人、振出日、受取人、支払期日、支払場所、銀行コード、支店コード、支店名称からなる群のうち少なくとも一つの手形情報を取得する手形情報取得手段と、取得した前記手形情報を前記識別子読取装置又は他の外部端末に出力する出力手段と、を備えることとした。
【０００９】
あるいは、カメラ撮影又はスキャナで識別子を読取る識別子読取装置、を備える約束手形管理システムであって、前記識別子読取装置は、約束手形に印刷された識別子から、当該約束手形の約束手形番号、振出人、振出日、受取人、支払期日、支払場所、銀行コード、支店コード、支店名称からなる群のうち少なくとも一つの手形情報を取得する手形情報取得手段と、取得した前記手形情報を当該識別子読取装置又は他の外部端末に出力する出力手段と、を備えることとした。このため、データ連携が良好で、入力作業を省力化できるという効果がある。
【図面の簡単な説明】
【００１０】
【図１】本考案の一実施形態の約束手形管理システムの全体構成を示す概念図である。
【図２】前記実施形態の約束手形の一例を示す平面図である。
【図３】前記実施形態の識別子読取装置のハードウェア構成を示すブロック図である。
【図４】前記実施形態の識別子読取装置の機能構成を示すブロック図である。
【図５】前記実施形態の約束手形サーバの構成を示すブロック図である。
【図６】前記実施形態の手形データの一例を示す図である。
【図７】前記実施形態の識別子読取装置の表示部に出力された手形情報の一例を示す図である。
【考案を実施するための形態】
【００１１】
＜全体構成＞・・・図１は、本考案の約束手形管理システム１００の全体構成を示す図である。約束手形管理システム１００は、ネットワークを介して互いにデータ通信可能な識別子読取装置４０と、約束約束手形サーバ８０により構成されている。識別子読取装置４０は、例えば、ＰＣであるが、それに限定されるものではない。識別子読取装置４０には、カメラを備えたスマートフォン７０やハンディスキャナ７２などが、無線または有線により接続されている。また、識別子読取装置４０は、外部端末９４とネットワークを介してデータ通信可能に接続されている。スマートフォン７０やハンディスキャナ７２は、約束手形１０の識別子１２を読み込むためのものである。
【００１２】
図２には、約束手形１０の一例を示す平面図が示されている。約束手形１０には、ＱＲコードなどの識別子１２が設けられている。識別子１２には、約束手形サーバ８０に記憶された個々の手形データにアクセスするためのＵＲＬが記憶されている。
【００１３】
このほか、約束手形１０には、約束手形番号１４（図示の例では、「１２３４５６７８」）、振出人１６（図示の例では、「〇〇商事株式会社」）、振出日１８（図示の例では、「平成３０年１月２９日」）、受取人１９（図示の例では、「△△物産株式会社」）、金額２０（図示の例では、「金弐百八萬五千参百円也」）、支払期日２２（図示の例では、「平成３０年４月３０日」）、支払場所２４（図示の例では、「株式会社〇〇銀行〇〇支店」）が印刷されている。
【００１４】
このような約束手形１０は、銀行が発行するものであるが、利用者（振出人）が振出人情報等を印刷する際に、約束手形１０にＱＲコードなどの識別子１２も印刷する。具体的には、約束手形１０の紙を、ユーザが購入して、自身で約束手形１０に記載する際に、約束手形サーバ８０のＵＲＬを指定してＱＲコードを生成し、約束手形１０にこのＱＲコードの印字をする。そして、約束手形サーバ８０へ振出人情報等をアップロードする。識別子１２には、約束手形サーバ８０に記憶された手形データにアクセスするためのＵＲＬのみ、又は、該約束手形の約束手形番号、振出人、振出日、受取人、支払期日、支払場所、銀行コード、支店コード、支店名称からなる群のうち少なくとも一つの手形情報が記憶されている。ＱＲコードにＵＲＬアドレスのみが記憶されている場合は、約束手形サーバ８０に、約束手形番号、振出人、振出日、受取人、金額、支払期日、支払場所、銀行コード、支店コード、支店名称などの手形情報が予め記憶されている。以下では、ＱＲコードにＵＲＬアドレスのみが記憶されている場合で説明する。
【００１５】
約束手形管理システム１００は、まず、スマートフォン７０のカメラ（図示せず）で約束手形１０の識別子１２を撮影したり、ハンディスキャナ７２で約束手形１０の識別子１２を読み込み（ステップＳ１）、有線通信または無線通信によって、識別子読取装置４０に読み込んだ識別子１２が送信される（ステップＳ２）。
【００１６】
識別子読取装置４０では、約束手形１０に印刷された識別子１２からＵＲＬアドレスを読取り、読取ったＵＲＬアドレスに基づいて、約束手形サーバ８０にアクセスする（ステップＳ３）。そして、約束手形サーバ８０から、当該約束手形１０に該当する約束手形番号、振出人、振出日、受取人、支払期日、支払場所、銀行コード、支店コード、支店名称からなる手形情報のうち、少なくとも一つの手形情報を取得する（ステップＳ４）。
【００１７】
識別子読取装置４０は、取得した前記手形情報を、識別子読取装置４０の表示部５２に出力したり（ステップＳ５ａ）、他の外部端末９４に出力する（ステップＳ５ｂ）。これにより、データ連携を良好にし、ユーザ側での入力作業を省力化できるという効果がある。
【００１８】
＜識別子読取装置のハードウェア構成＞・・・次に、図３を参照して、本実施形態の識別子読取装置４０のハードウェア構成を説明する。図３は、本実施形態の識別子読取装置４０のハードウェア構成を示すブロック図である。識別子読取装置４０は、プロセッサ４２、メモリ４４、ストレージ４６、表示部５２、入力部５４、通信部５６を備え、これらは図示しないバスにより接続されている。
【００１９】
プロセッサ４２は、例えば、ＣＰＵ（Central Processing Unit）により構成され、メモリ４４に記憶された各種プログラムを読み出して実行することで、各種処理を行う。前記メモリ４４は、プロセッサ４２により実行させるプログラムを記憶するものであり、例えば、ＲＯＭ（Read Only Memory）やＲＡＭ（Random Access Memory）により構成される。例えば、図４に示す各種手段が記憶されている。
【００２０】
ストレージ４６は、ＵＲＬアドレス４８、手形情報５０や、図示しない制御プログラムなどを記憶するものである。ＵＲＬアドレス４８は、スマートフォン７０のカメラで撮影した識別子１２や、ハンディスキャナ７２でスキャンした識別子１２に記憶されたＵＲＬアドレスである。このＵＲＬアドレス４８は、約束手形サーバ８０に記憶された個々の手形データにアクセスするためのものである。手形情報５０は、約束手形サーバ８０にアクセスして取得した手形情報であり、この手形情報５０に基づいて、表示部５２に手形情報が出力される。
【００２１】
表示部５２は、例えば、ディスプレイやタッチパネルがあるが、これに限定されない。また、入力部５４は、キーボードやタッチパネルであるが、これも限定されるものではない。
【００２２】
次に、通信部５６は、ネットワークを介してＵＲＬアドレス４８に基づいて約束手形サーバ８０にアクセスしたり、約束手形サーバ８０から前記ＵＲＬアドレス４８に対応する手形情報をダウンロードしたりするものである。むろん、必要に応じて、他の情報の送受信を行うようにしてもよい。
【００２３】
＜識別子読取装置の機能構成＞・・・次に、図４を参照して、本実施形態の識別子読取装置４０の機能構成を説明する。図４は、本実施形態の識別子読取装置４０の機能構成を示すブロック図である。図４に示すように、識別子読取装置４０は、読取手段６０、アクセス手段６２、手形情報取得手段６４、出力手段６６を備えている。
【００２４】
読取手段６０は、スマートフォン７０のカメラで撮影した約束手形１０の識別子１２や、ハンディスキャナ７２でスキャンした約束手形の識別子１２を取得して、当該識別子１２からＵＲＬアドレスを読取るものである。ＵＲＬアドレスは、約束手形サーバ８０に記憶された個々の手形データにアクセスするためのものである。読取ったＵＲＬアドレスは、ストレージ４６にＵＲＬアドレス４８として記憶される。
【００２５】
アクセス手段６２は、読取ったＵＲＬアドレス４８に基づいて、通信部５６及びネットワークを介して、約束手形サーバ８０にアクセスするものである。
【００２６】
手形情報読取得手段６４は、約束手形サーバ８０から、当該約束手形１０の約束手形番号、振出人、振出日、受取人、支払期日、支払場所、銀行コード、支店コード、支店名称からなる群のうち少なくとも一つの手形情報を、通信部５６及びネットワークを介して取得するものである。取得した手形情報は、ストレージ４８に手形情報５０として記憶される。
【００２７】
出力手段６６は、取得した手形情報５０を、識別子読取装置４０や外部端末９４に出力するものである。識別子読取装置４０に出力する場合とは、例えば表示部５２に表示することであり、外部端末９４に出力するとは、通信部５６及びネットワークを介して手形情報５０を送信し、外部端末９４の表示部（図示せず）に表示させることである。
【００２８】
＜約束手形サーバの構成＞・・・次に、図５を参照して、本実施形態の約束手形サーバ８０の構成を説明する。図５は、本実施形態の約束手形サーバ８０の構成を示すブロック図である。約束手形サーバ８０は、プロセッサ８２、メモリ８４、ストレージ８６、通信部９２を備え、これらは図示しないバスにより接続されている。また、前記メモリ８４には、例えば、手形情報を抽出する手段が記憶されている。
【００２９】
プロセッサ８２は、例えば、ＣＰＵ（Central Processing Unit）により構成され、メモリ８４に記憶された各種プログラムを読み出して実行することで、各種処理を行う。前記メモリ８４は、プロセッサ８２により実行させるプログラムを記憶するものであり、例えば、ＲＯＭ（Read Only Memory）やＲＡＭ（Random Access Memory）により構成される。例えば、手形情報を抽出する手段が記憶されている。
【００３０】
ストレージ８６は、手形情報データベース８８や、図示しない制御プログラムなどを記憶するものである。図６には、ストレージ８６の手形情報データベース８８に記憶されている個々の手形情報の一例が示されている。図６に示すように、手形情報８８Ａには、約束手形番号Ａ１（図示の例では、「１２３４５６７８」）、振出人Ａ２（図示の例では、「〇〇商事株式会社」）、振出日Ａ３（図示の例では、「平成３０年１月２９日」）、受取人Ａ４（図示の例では、「△△物産株式会社」）、支払期日Ａ５（図示の例では、「平成３０年４月３０日」）、支払場所Ａ６（図示の例では、「株式会社〇〇銀行」）、銀行コードＡ７（図示の例では、「ＡＢＣ」）、支店コードＡ８（図示の例では、「ＤＦＥ」）、支店名称Ａ９（図示の例では、「〇〇支店」）が記憶されている。他の手形情報８８Ｂ、８８Ｃ、・・・にも、同様の情報が記憶されている。
【００３１】
次に、通信部９２は、ネットワークを介して識別子読取装置４０から手形情報の取得要求を受け付けたり、識別子読取装置４０へ手形情報を送信したりするものである。むろん、必要に応じて、他の情報の送受信を行うようにしてもよい。
【００３２】
以上説明した約束手形サーバ８０は、単体のコンピュータであってもよく、例えば、端末であってもよい。
【００３３】
＜手形管理処理＞・・・次に、本実施形態の手形管理システム１００による手形管理処理の一例について、図１を参照して説明する。まず、スマートフォン７０のカメラ（図示せず）で約束手形１０の識別子１２を撮影したり、ハンディスキャナ７２で約束手形１０の識別子１２を読み込み（ステップＳ１）、有線通信または無線通信によって、識別子読取装置４０に読み込んだ識別子１２が送信される（ステップＳ２）。
【００３４】
識別子読取装置４０では、読取手段６０が、約束手形１０に印刷された識別子１２からＵＲＬアドレスを読取る（ステップＳ２）。読取られたＵＲＬアドレスは、ストレージ４６にＵＲＬアドレス４８として記憶される。次に、識別子読取装置４０では、アクセス手段６２が、読取手段６０によって読取ったＵＲＬアドレス４８に基づいて、通信部５６およびネットワークを介して約束手形サーバ８０にアクセスする（ステップＳ３）。
【００３５】
そして、手形情報取得手段６４が、アクセス手段６２によってアクセスしたＵＲＬアドレス（約束手形サーバ８０の手形情報データベース８８に記憶されている個々の手形情報８８Ａ〜８８Ｃ）から、約束手形番号Ａ１、振出人Ａ２、振出日Ａ３、受取人Ａ４、支払期日Ａ５、支払場所Ａ６、銀行コードＡ７、支店コードＡ８、支店名称Ａ９からなる手形情報のうち、少なくとも一つの手形情報を取得する（ステップＳ４）。取得した手形情報は、識別子読取装置４０のストレージ４６に、手形情報５０として記憶される。
【００３６】
識別子読取装置４０は、出力手段６６により、取得した前記手形情報５０を、識別子読取装置４０に出力したり（ステップＳ５ａ）、他の外部端末９４に出力する（ステップＳ５ｂ）。識別子読取装置４０に出力する場合とは、例えば表示部５２に表示することであり、外部端末９４に出力するとは、通信部５６及びネットワークを介して手形情報５０を送信し、外部端末９４の表示部（図示せず）に表示させることである。
【００３７】
図７には、識別情報読取装置４０の表示部５２に出力された手形情報の一例が示されている。図７に示す画面１１０は、例えば、識別情報読取装置４０にインストールされた手形管理アプリケーションの表示画面の一つであり、約束手形サーバ８０から取得した手形情報５０が自動的に入力されている。例えば、手形番号１１２、振出人１１４、振出日１１６、振出銀行１１８、銀行コード１２０、支店コード１２２、支店名１２４などが、自動的に入力されている。これにより、データ連携を良好にし、ユーザ側（識別情報読取装置４０側）での入力作業を大幅に削減できるという効果が得られる。
【００３８】
＜効果＞・・・以上説明した実施形態によれば、カメラ撮影又はスキャナで識別子を読取る識別子読取装置４０と、識別子読取装置４０と通信可能に接続された約束手形サーバ８０と、を備える約束手形管理システム１００において、識別子読取装置４０は、約束手形１０に印刷された識別子１２からＵＲＬアドレスを読取る読取手段６０と、読取った前記ＵＲＬアドレスに基づいて、約束手形サーバ８０にアクセスするアクセス手段６２と、約束手形サーバ８０から、当該約束手形の約束手形番号、振出人、振出日、受取人、支払期日、支払場所、銀行コード、支店コード、支店名称からなる群のうち少なくとも一つの手形情報を取得する手形情報取得手段６４と、取得した手形情報を識別子読取装置４０又は他の外部端末９４に出力する出力手段６６と、を備えることとした。これにより、データ連携を良好にし、ユーザ側（識別情報読取装置４０側）での入力作業を大幅に削減できるという効果が得られる。
【００３９】
なお、上述した実施形態は一例であり、同様の効果を奏する範囲内で適宜変更が可能である。例えば、約束手形サーバ８０は、単体のコンピュータであってもよく、例えば、端末であってもよい。また、上述した手形情報は一例であり、他の手形情報を含めることを妨げるものではない。更に、本考案は、為替手形、小切手でも運用可能である。
【００４０】
更に、本考案では、カメラ撮影又はスキャナで識別子を読取る識別子読取装置、を備える約束手形管理システムであって、前記識別子読取装置は、約束手形に印刷された識別子から、当該約束手形の約束手形番号、振出人、振出日、受取人、支払期日、支払場所、銀行コード、支店コード、支店名称からなる群のうち少なくとも一つの手形情報を取得する手形情報取得手段と、取得した前記手形情報を当該識別子読取装置又は他の外部端末に出力する出力手段と、を備えることとしてもよい。これにより、ＵＲＬでサーバにアクセスすることなく、上述した実施例１と同様の効果を得ることができる。
【産業上の利用可能性】
【００４１】
本考案によれば、カメラ撮影やスキャナで、約束手形の識別子を読取り、当該識別子に記憶されたＵＲＬアドレスを読取り、読取ったＵＲＬアドレスに基づいて約束手形サーバにアクセスし、約束手形サーバから、当該約束手形の約束手形番号、振出人、振出日、受取人、支払期日、支払場所、銀行コード、支店コード、支店名称からなる群のうち少なくとも一つの手形情報を取得し、取得した手形情報を識別子読取装置又は他の外部端末に出力する。あるいは、カメラ撮影やスキャナで、約束手形の識別子を読取り、当該識別子に記憶された約束手形の約束手形番号、振出人、振出日、受取人、支払期日、支払場所、銀行コード、支店コード、支店名称からなる群のうち少なくとも一つの手形情報を取得するし、取得した手形情報を識別子読取装置又は他の外部端末に出力する。これにより、データ連携を良好にし、データ入力作業を大幅に削減するため、約束手形管理システムの用途に適用できる。
【符号の説明】
【００４２】
１０：約束手形
１２：識別子
１４：約束手形番号
１６：振出人
１８：振出日
１９：受取人
２０：金額
２２：支払期日
２４：支払場所
２６：銀行名
４０：識別子読取装置
４２：プロセッサ
４４：メモリ
４６：ストレージ
４８：ＵＲＬアドレス
５０：手形情報
５２：表示部
５４：入力部
５６：通信部
６０：読取手段
６２：アクセス手段
６４：手形情報取得手段
６６：出力手段
７０：スマートフォン
７２：ハンディスキャナ
８０：約束手形サーバ
８２：プロセッサ
８４：メモリ
８６：ストレージ
８８：手形情報データベース
８８Ａ〜８８Ｃ：手形情報
９２：通信部
９４：外部端末
１００：約束手形管理システム
１１０：画面
１１２：手形番号
１１４：振出人
１１６：振出日
１１８：振出銀行
１２０：銀行コード
１２２：支店コード
１２４：支店名
Ａ１：約束手形番号
Ａ２：振出人
Ａ３：振出日
Ａ４：受取人
Ａ５：支払期日
Ａ６：支払場所
Ａ７：銀行コード
Ａ８：支店コード
Ａ９：支店名称
【図１】
0003225433.tif 000003
【図２】
0003225433.tif 000004
【図３】
0003225433.tif 000005
【図４】
0003225433.tif 000006
【図５】
0003225433.tif 000007
【図６】
0003225433.tif 000008
【図７】
0003225433.tif 000009